(57)【特許請求の範囲】
【請求項１】
ハンドピースの基端部を挿入する取付孔を設けた取付部材と、該取付部材に基端部を取り付けたアームと、該アームの先端部に取り付けた排除板から成る圧排装置において、前記取付部材の取り付け孔とハンドピースの外周面の間に内筒管を設けてハンドピースを軸回りに回動自在に挿入すると共に、前記内筒管の外周面へ環状のＵ字溝を形成し、前記取付部材の取付孔の内周面に設けた球状頭部を有する突起を前記Ｕ字溝内へ突出させたことを特徴とする圧排装置を備えた歯科用器具。
【請求項２】
前記突起が取付部材の螺子孔から螺入させたボルトの頭部であることを特徴とする特許請求の範囲の請求項１に記載の圧排装置を備えた歯科用器具。
【請求項３】
前記突起が取付部材の取付孔の内周面に設けた溝と内筒管のＵ字溝との間に設けたボールベアリングであることを特徴とする特許請求の範囲の請求項２に記載の圧排装置を備えた歯科用器具。
【請求項４】
前記突起が取付部材の内周面に設けた環状突起であることを特徴とする特許請求の範囲の請求項３に記載の圧排装置を備えた歯科用器具。
【請求項５】
ハンドピースの基端部に取り付ける取付孔を設けた取付部材と、該取付部材に基端部を取り付けたアームと、該アームの先端部に取り付けた排除板から成る圧排装置において、前記取付部材の取付孔とハンドピースの外周面の間に内筒管を設けると共に、前記内筒の外周面へ螺子部を形成し、前記取付部材の内周面へ内筒管の螺子部へ螺合される螺子部を形成させて、ハンドピースを軸回りに回動自在に取り付けたことを特徴とする圧排装置を備えた歯科用器具。
【請求項６】
取付孔を設けた断面略Ｃ字状の弾性を有する取付部材と、該取付部材に基端部を取り付けたアームと、該アームの先端部に取り付けた排除板からから成る圧排装置において、前記ハンドピースの基端部に軸方向の両端部にストッパー手段を有する円筒体を設け、該円筒体の胴部の外周面へ前記取付部材の取付孔を嵌合させると共にハンドピースを取付部材に対して軸回りに回動自在とさせたことを特徴とする圧排装置を備えた歯科用器具。
【請求項７】
前記アームが回動軸を介して連結された複数個のアームから構成されていることを特徴とする特許請求の範囲の請求項１に記載の圧排装置を備えた歯科用器具。
【請求項８】
前記複数個のアームが取付部材に取り付けられた支持アームと、該支持アームの先端に回動軸を介して連結された中間アームと、該中間アーム先端に回動軸を介して連結された先端アームから構成されていることを特徴とする特許請求の範囲の請求項７に記載の圧排装置を備えた歯科用器具。
【請求項９】
前記支持アームと中間アームを所定の角度で固定できる調整手段を設けたことを特徴とする特許請求の範囲の請求項８に記載の圧排装置を備えた歯科用器具。
【請求項１０】
前記中間アームと先端アームを所定の角度で固定できる調整手段を設けたことを特徴とする特許請求の範囲の請求項８の圧排装置を備えた歯科用器具。
【請求項１１】
ハンドピースの基端部を挿入する取付孔を設けた取付部材と、該取付部材に基端部を取り付けたアームと、該アームの先端部に取り付けた排除板から成る圧排装置において、前記排除板がアームの先端部に回動軸を介して取り付けられると共に該回動軸を中心として外周方向に少なくとも二つの異形上の舌片が形成され該排除板を回動させることにより、圧排する口腔内の組織の形状に応じて舌片が選択できることを特徴とする圧排装置を備えた歯科用器具。
【発明の詳細な説明】
【０００１】
【産業上の利用分野】
本発明は、歯科医において使用される医療器具に関するものであり、詳細には、切削治療に用いられるエアタービンやコントラ、バキュームチップ等の歯科用のハンドピースの内、特に、歯牙切削機へ圧排装置を結合させた新規な歯科用器具に関する。
【０００２】
【従来技術】
一般に、歯科医において切削等の治療を行う場合には、先端に切削工具を備えたハンドピースと、治療部位の状態を観察するためのミラー、唾液等の廃液を吸引除去するバキュームチップ等の医療器具が使用されている。また、これ等の複数の器具の内、ミラーやバキュームチップは治療に邪魔な口腔内組織を圧排して切削工具との接触を回避するためにも使用されている。
【０００３】
ところが、これ等の複数の器具を医師自身が独りで使用することは困難であり、邪魔な口腔内組織をミラー、バキュームチップ、手等の何れかで押さえつけて圧排する、圧排作業を行う専門の助手が必要となる。
【０００４】
従って、これ等の切削治療では、仰臥姿勢にした一人の患者に対して医師と助手とで治療を行う、いわゆる、Ｆｏｕｒ−Ｈａｎｄｅｄ  ｄｅｎｔｉｓｔｒｙによる座位治療が日常的に行われているのが現状であるが、この場合、医師と助手の双方に、ミラーテクニック、オーラルバキュームテクニック、器具の受け渡し等の熟練した技術を必要とし、また、医師と助手との技術的レベルが合わないと、治療が円滑にできなかったり、時間がかかる等の問題があった。
【０００５】
【発明が解決しようとする課題】
前述のＦｏｕｒ−Ｈａｎｄｅｄ  ｄｅｎｔｉｓｔｒｙによる座位治療は、手術等の複雑な作業を行う際には極めて有益であるが、歯科医における治療の多くは、虫歯や歯牙の切削治療である。
【０００６】
米国特許第５２５２７８号、第１００４１１８号、第１０７５７１号、第１１０１９４７号、第２３０７６７７号、第２６７１２６９号、第２９２４０１３号等においては、先端部に保護板を取付けた各種のハンドピースの構造が開示されているが、これ等の保護板は、切削工具と口腔内組織との接触を阻むように、切削工具の周囲の一部又は全体に配置され、ハンドピースの先端部付近の適宜な部位に取付けられたものであって、周辺の口腔内組織の保護のみを目的とするため、ハンドピースの先端部に対して位置調整が不可能か、或いは、取付部で回動する程度の多少の位置調整ができるものの、口腔内での使用中に位置調整を行うことは不可能であり、また、切削工具に対して口腔内組織を圧排できる仕組みとはなっていない。そのため、この種の器具を使用する場合には、従来と同様にミラーやバキュームチップ等の他の器具を併用する必要性が生じることは勿論のこと、これ等の保護板を取付けたハンドピースを使用すると、切削工具の視認性をかえって悪化させ、適確な治療ができない等の欠点もあった。
【０００７】
【課題を解決する手段】
本発明者は、上記の課題を解決するために、汎用のハンドピースの基端部に取付けるだけで、口腔内での使用中に、医師の片手の指操作のみで、必要な口腔内組織を圧排し乍らハンドピースを動かすことができる新規な医療器具を開発したものである。
【０００８】
この医療器具は、本発明の各実施例を説明する図面に図示の如く、ハンドピース１の把持部である基端部１ａに先端部側より挿入して任意の位置に固定される取付孔２ａを有する取付部材２と、取付部材２の取付孔２ｂに取付けられるアーム３と、アーム３の先端部に取付けられる排除板４とで構成された歯科用器具である。
【０００９】
ところで、口腔内でこの種の器具を使用する場合、患者の下顎を開状態とさせて器具の挿入及び操作を行い易くした状態とするが、この状態でもハンドピースの動きは口腔内の形状と口腔内組織によって様々な制限を受ける。即ち、口腔前庭の深さに差があったり、下顎が顎関節の下顎頭を支軸として開閉運動するために、口腔内の空間は前方の口唇側から奥方の軟口蓋側に行くに従って狭くなっている等の制限である。
【００１０】
従って、本発明においては、上記の歯科用器具の構成の内、排除板４を先端部に取付けたアーム３を、例えば、図示の各実施例の如く、使用者の指関節の動きに応じて水平方向及び垂直方向の適宜な位置に回動できる複数のアーム（例えば、支持アーム５、中間アーム７、先端アーム９）から成る連結型のアーム３等で構成した。
【００１１】
この内、垂直方向に可動する先端アーム９の先端部は、これ等の制限を受けることなく口腔内のあらゆる箇所に挿入できる器具の先端部形状を形成するために機能し、水平方向に可動する中間アーム７等は、器具の側方に位置する口唇、舌、頬、咬筋、下顎枝筋突起部等の口腔内組織を圧排するために機能する。
【００１２】
そして、アーム３の基端部は、ハンドピース１の中央部や先端部ではなく、ハンドピース１の基端部１ａに取付部材２を介して一体的に取付けられていて、尚且つ、ハンドピース１の軸方向に沿って一定の間隔を置いて配置されている。この構成により、医師は、自身の片手の何れかの指の付け根や中指等で取付部材２とアーム３を安定して支えた状態で、親指や人差指等で、ハンドピース１とアーム３にそれぞれ独立した力を加えることができる。
【００１３】
即ち、この歯科用器具の最も重要な作用効果は、医師の指操作で口腔の手前側の比較的広い空間から、器具全体の先端部の形状を口腔の奥側の狭い空間内へ挿入できる形状に変更できることに加えて、図２９乃至図３０に図示の如く、口腔内での使用中には、何れかの指で口腔内組織を圧排するための強い押圧力をアーム３の先端部分と排除板４に付与しながら、ハンドピース１を他の指で軽く自由に操作できることである。具体的には、アーム３の先端部分に対する指の押圧力で、舌や頬等の口腔内組織を排除板４で確りと押し付け、この状態を維持したままハンドピース１の先端部を垂直乃至水平方向に自由に動かすことができ、また、その際、ハンドピース１の先端部の動きにつられて排除板４が動く心配がないために、これ等の操作を円滑に行うことができることである。
【００１４】
加えて、本発明の歯科用器具は、取付部材２をハンドピースから外れない状態で、ハンドピース１の軸回りに回動自在に取付けて構成したことである。この構成によれば、上記の作用効果に加えて、図２４に図示の如く、口腔内での使用中、排除板４で適当な位置の口腔内組織を押さえ付けたまま、ハンドピース１を軸周りに回転させることができるので、治療対象である歯牙の適宜部位に対して、図２７に示す様に切削工具１ｃの側面をより理想的に当てて切削できることになる。この場合も、ハンドピース１の回転操作は、排除板４に全く影響を与えないので、口腔内組織を排除板４で確りと抑えつけることができる。
【００１５】
尚、上記の歯科用器具に使用されるアーム３は、何れの構造のアームでも良いが、排除板４に対する切削工具１ｃの自由性をより向上させることを考慮すると、これ等のアームの実施態様としては、前記の回動機構を備えた複数のアームから成る連結型のアーム３が好ましい。しかし、回動機構が単なる回動軸である連結型のアーム３で圧排作業を行うと、治療中に排除板４が可動し、安定した切削治療が困難となる。特に、歯牙の裏側の切削を行う遠心切削には、医師と助手の二人がかりでも非常に困難な治療であると言われており、治療の邪魔になる下顎の筋突起を押圧しながら、更に、治療部位を写しだすミラーテクニックが必要である。このため、図１４乃至図２３に図示の如く、回動機構には適度な摩擦力で各アームが一定の角度に維持でき、必要に応じて強固に固定できる調整手段を設ける。
【００１６】
また、アーム３の先端に取付けられた排除板４は、実質上、ハンドピース１の片側で垂直方向に移動できるので、口腔内奥側への器具の挿入時に重要な役割を果たす垂直方向の回動機構を省略することも可能である。この場合、図１３に図示の如く、水平方向の回動機構のみを備えたアーム３を採用すれば良い。
【００１７】
【実施例】
斯る目的を達成した本発明を以下の実施例の図面により説明する。
【００１８】
図１乃至図４は、第１実施例の圧排装置を備えた歯科用器具の概要図であり、図５は、第２実施例の圧排装置を備えた歯科用器具の概要図であり、図６は、第３実施例の圧排装置を備えた歯科用器具の概要図であり、図７及び図８は、第４実施例の圧排装置を備えた歯科用器具の概要図であり、図９及び図１０は、第５実施例の圧排装置を備えた歯科用器具の概要図であり、図１１及び図１２は、第６実施例の圧排装置を備えた歯科用器具の概要図であり、図１３は、本発明の圧排装置を備えた歯科用器具に使用されるその他のアームの概要図であり、図１４乃至図２３は、本発明で使用される回動型のアームにおける回動機構の概要図である。図２４乃至図２６は、第１実施例乃至第４実施例の圧排装置を備えた歯科用器具におけるハンドピースの動きを示す説明図であり、図２７及び図２８は、口腔内におけるハンドピースの動きを示す説明図であり、図２９乃至図３０は、圧排装置を備えた歯科用器具の使用状態の説明図であり、図３１乃至図３３は、本発明の圧排装置を備えた歯科用器具に使用されるその他の排除板及びそれに関連する装置の概要図である。
【００１９】
本発明の圧排装置を備えた歯科用器具は、図示の如く、ハンドピース１のテーパーを有する基端部１ａへ直接又は内筒管１３を介して着脱可能に挿入させる断面Ｃ字状等の取付孔２ａを有する取付部材２と、該取付部材２の支持孔２ｂへ取り付けられるアーム３と、該アーム３の先端部に取付けられる排除板４とで構成されている。
【００２０】
そして、前記ハンドピース１は、基端部１ａに把持部を有する汎用のハンドピース１であり、該ハンドピース１は、先端部にエアやモーター等の駆動源によって高速回転する回転体１ｂと、該回転体１ｂへ取付けられた切削工具１ｃを備えている。
【００２１】
第１実施例の圧排装置を備えた歯科用器具は、図１乃至図４に図示の如く、ハンドピース１の基端部１ａと取付部材２との間へ内筒管１３を取付けている。該内筒管１３は、例えば、ハンドピース１のテーパー形の基端部１ａに確りと固定されるテーパー形の取付孔１３ａを有しており、また、内筒管１３の外周面と取付部材２の取付孔２ａの内周面は円筒の形状を有した同軸の平行筒となっている。
【００２２】
前記内筒管１３の外周面にはＵ字溝１３ｂが環状に形成されており、前記取付部材２の外側から螺子孔２ｃへ螺入させたボルト１４の球状の頭部が内筒管１３のＵ字溝１３ｂ内に突出していて、取付部材２に対してハンドピース１は軸方向に移動しないように構成されている。ボルト１４をきつく締めることで、ハンドピース１の回動を停止させることもできるが、ボルト１４を適度に緩めることにより、ハンドピース１の取付部材２に対する軸回りの回動が可能となる。
【００２３】
第２実施例の圧排装置を備えた歯科用器具は、図５に図示の如く、第１実施例のボルトの球状の頭部の代わりに取付部材２のＵ字溝と内筒管１３のＵ字溝１３ｂとの間にボールベアリング１４ａを設けたものであり、第３実施例の圧排装置を備えた歯科用器具は、図６に図示の如く、取付部材２の内周面へＵ字溝１３ｂ内へ突出する環状突起１４ｂを設けたものである。
【００２４】
第４実施例の圧排装置を備えた歯科用器具は、図７及び図８に図示の如く、ハンドピース１の基端部１ａと取付部材２との間へ第１実施例と同様の内筒管１３を取付けている。該内筒管１３の外周面には取付部材２の取付孔２ａの内周面に設けた螺子部ｘに螺合する螺子部ｙが設けられていて、ハンドピース１の回動操作を行うと、ハンドピース１は取付部材２に対して前後方向にわずかに進退しながら、軸回りに回動する。
【００２５】
上記、第１実施例乃至第４実施例において、前記取付部材２の支持孔２ｂへ取付けられるアーム３には、排除板４の自由性を考慮して、取付部材２の支持孔２ｂ内へ螺子孔２ｃから螺合させたボルト２Ａによりスライド移動可能に且つ軸回りに回動自在に支持される支持アーム５と、該支持アーム５の先端部に回動機構を介して取付けられた中間アーム７と、該中間アーム７の先端部に回動機構を介して取り付けられた先端アーム９とで構成させたものを採用している。
【００２６】
第１実施例乃至第４実施例における中間アーム７は、ハンドピース１の使用中に支持アーム５に対して水平方向に回動するので、先端アーム９の先端に取付けられた排除板４で口腔内組織を圧排する際に、支持アーム５と中間アーム７をある程度の摩擦力で一定の角度に保てると共に、必要に応じて強固に固定できる回動機構が必要である。この回動機構の詳細は、図１４乃至図２３により説明される。
【００２７】
図１４及び図１５は、第１の回動機構の実施例を示している。図示の如く、中間アーム７の後端部には摺接面Ｘ１を設けるための凹溝７ａが中間アーム７の本体と分割部材７Ａとの間に形成されて、一方、支持アーム５の先端部には中間アーム７の摺接面Ｘ１に対して摺接面Ｘ２を設けるための突出片５ｂが形成されている。
【００２８】
図１５は、中間アーム７の分割部材７Ａを取り除いた状態を示している。この図から、摺接面Ｘ１．Ｘ２が円弧状に形成されていて、回動軸６による連結で、支持アーム５と中間アーム７の水平方向の回動運動が可能となっていることが容易に判断されるであろう。この摺接面Ｘ１．Ｘ２は、また、図８において、中間アーム７の後端部と支持アーム５との当接面にも形成される。
【００２９】
前記回動軸６は、詳細には、両側面に軸芯を有すると共に、軸芯よりも稍々大径の胴部の中央辺に螺子孔６ａを有しており、前記支持アーム５の突出片５ｂには回動軸６の胴部を装着する軸受孔５ｃが形成されている。一方、中間アーム７の後端部に設けた凹溝７ａの両壁面には前記回動軸６を装着する軸受孔７ｂが形成されている。
【００３０】
図示の如く、前記支持アーム５は中空軸５ａを有する管状部材から成り、該中空軸５ａ内へは先端部に前記回動軸６の胴部の螺子孔６ａと螺合する螺子部１１ａを有すると共に後端部には操作部材１１ｂを有する操作杆１１が配設されている。
【００３１】
本発明の保護装置を使用している歯科医師が、前記操作杆１１の操作部材１１ｂを回転させると、該操作部材１１ｂの先端の壁面と支持アーム５の後端の壁面が当接されているので、操作杆１１の先端部は螺子結合により回動軸６の胴部を支持アーム５側へ引き付ける。
【００３２】
一方、回動軸６は、中間アーム７の後端部に設けた軸受孔７ｂに挿入されているため、夫々の摺接面Ｘ１．Ｘ２の摩擦抵抗が強まり、これにより、支持アーム５と中間アーム７は所定の角度に保つことができる。
【００３３】
図１６及び図１７は、第２の回動機構の実施例を示している。この場合、中間アーム７の後端部には突出片７ｃが形成され、該突出片７ｃに摺接面Ｘ１が形成されている。これに対して支持アーム５の先端部には凹溝５ｅが形成されていて、回動軸６が突出片７ｃの軸受孔７ｂと凹溝５ｅの両壁面に設けた軸受孔５ｃへ挿入されている。
【００３４】
摺接面Ｘ１は操作杆１１の先端面に設けた摺接面Ｘ２との当接により摩擦係合している。操作杆１１は後端部の外周面に設けられた螺子部１１ａと支持アーム５の後端部の内周面に設けられた螺子部５ｄとの螺合により中空軸５ａ内に進退可能に配設されている。
【００３５】
図１８及び図１９は、第３の回動機構の実施例を示す。この実施例では、中間アーム７の摺接面Ｘ１は回動軸６の胴部に形成される。このため、回動軸６の軸心は中間アーム７の軸受孔７ｂに対して回動されないように略楕円形の断面を有している。前記回動軸６の胴部の摺接面Ｘ１には、好ましくは、溝部（図示せず）が形成され、操作杆１１の先端部に設けた摺接面Ｘ２との当接により摩擦係合される。
【００３６】
図２０及び図２１は第４の回動機構の実施例を示す。この実施例では、中間アーム７の後端部に設けた摺接面Ｘ１は、操作杆１１の先端部に配置された押付部材１１Ａの摺接面Ｘ２と摩擦係合する。操作杆１１は操作部材１１ｂの操作等より押付部材１１Ａを先端方向へ押し出す。この実施例の場合、中間アーム７に分割部材を使用する必要がない。
【００３７】
上記の第１実施例乃至第４実施例の構成において、前記ハンドピース１は内筒管１３を介して取付部材２に取付けられているので、口腔内での使用中には、図２４に示す如く、片手の指操作で切削工具１ｃを軸回りに回動させることができる。また、支持アーム５と中間アーム７と先端アーム９とで構成させたアーム３を採用しているので、図２５及び図２６に図示の如く、ハンドピース１の先端部分、つまり、切削工具１ｃを垂直及び水平方向に振らせることができるのである。
【００３８】
これ等のハンドピース１の動きは、排除板４の動きに影響を与えないので、排除板４で口腔内組織を押圧したまま、ハンドピース１の先端に設けられた切削工具１ｃを自由に動かすことができるのである。
【００３９】
尚、図２２及び図２３は第５の回動機構の実施例を示している。この回動機構は、回動軸８を介して連結された先端アーム９と中間アーム７の間に設けられている。図２２の場合、中間アーム７（又は先端アーム９）の外周面には該中間アーム７の軸方向に移動できる調整管１８ａが設けられており、該調整管１８ａを回動軸８上へ移動させることにより、先端アーム９と中間アーム７とを直線上に確りと固定できる。
【００４０】
図２３の場合には、中間アーム７と先端アーム９の連結部の外周面には断面Ｃ字状の調整リング１８ｂが設けられており、この調整リング１８ｂを回動及びスライド移動させることにより、先端アーム９と中間アーム７を直線上に固定したり、回動を可能とさせることができる。
【００４１】
［圧排装置を備えた歯科用器具の使用方法］
本発明の各実施例の圧排装置を備えた歯科用器具は、図２７に図示の如く、口腔内での使用中に、排除板４で口腔内組織を押圧した状態で、ハンドピース１の軸回りに切削工具１ｃを回動することができる。また、図２８は、可動型のアーム３を使用しているために、舌Ａ等の口腔内組織を排除板４で押圧した状態で、切削工具１ｃが歯Ｂの周辺で自由に動くことを説明するための、口腔内で使用されている圧排装置を備えた歯科用器具を平面から観察した説明図である。
【００４２】
治療の際には、図２９乃至図３０に図示の如く、医師は一方の手でハンドピース１と圧排装置を備えた歯科用器具を把持すると共に、他方の手でバキュームチップＤを把持し、治療対象と成る部位でバキュームチップＤと排除板４で舌Ａや歯Ｂの外側の肉部Ｃ等の口腔内組織を排除しながら、ハンドピース１の先端部を指運により操作する。図２９及び図３０は第１実施例の圧排装置を備えた歯科用器具を下顎の奥方で使用した状態を示ているが、他の実施例についても同様であり、また、上顎、下顎を問わずあらゆる治療部位に対して同様に使用することができる。
【００４３】
［排除板及び排除板に関連するその他の機構］
上記の実施例では円盤状の排除板４を用いたが、本発明はこれに限られず、楕円形、矩形、鉤形等の排除板や、図３３に図示のような、口腔内の形状に合わせて形成した三葉形の排除板４も使用できる。これらの排除板４は、アーム３の先端に一体的に取付けたり、図３１の如く回動軸となる支持部材４ａを介して回動自在に取付けることができる。とりわけ、図３２及び図３３に図示の排除板４では、回動軸を中心とする外周方向に二つ以上の異形状の舌片４ａが形成されており、排除板４を回動させることにより、口腔内の形状に応じて夫々の舌片４ａを選択的に使用することができるように構成されている。
【００４４】
［アーム］
本発明に採用されるアーム３は、上記の実施例に使用したアーム３は勿論のこと、各種の実施態様が考えられる。図１３は、第１実施例において、水平方向の回動機構のみを備えたアーム３を示している。このアーム３は、中間アーム７に対して先端部を上方に屈曲させて取付けた先端アーム９と、取付部材に取付けられた支持アーム５とで構成されていて、連結部分には、前述の図８乃至図２２で示した回動機構が採用され得る。
【００４５】
［他の実施例］
図９及び図１０は、本発明の第５実施例を示している。この圧排装置を備えた歯科用器具においては、断面略Ｃ字状の取付部材２が使用される。また、該取付部材２は合成樹脂等の弾性を有する素材で形成される。ハンドピース１の基端部１ａには、軸方向の両端部にストッパー手段１７ａ．１７ａを有する円筒体１７が嵌合される。この実施例では、取付部材２の取付孔２ａを円筒体１７の胴部の外周面へ周方向から弾性を利して嵌合させることにより、ハンドピース１を取付部材２に対して軸回りに回動自在に取付たものである。又、この実施例のように弾性を利用した取付においても、遊動自在な取付けが可能であることは言うまでもない。
【００４６】
図１１は、本発明の第６実施例を示している。この実施例の場合、ハンドピース１の基端部１ａには、ロータリージョイント等の接続部１９を介して別部材２０が取付けられており、ハンドピース１は、別部材２０に対して軸回りに回動可能に構成されている。この別部材２０の内部には、例えば、切削工具１ｃを高速回転させるためのエアー等を導入する導入管等（図示せず）が配設されている。
【００４７】
前記別部材２０の外周面へは、例えば、後方のテーパーを利用して図５に示した構成の取付部材２が取付られ、該取付部材２にアーム３の基端部が取付けられ、ハンドピース１とアーム３とが一定の間隔をおいて平行に配置される。尚、この別部材２０への取付には前述の各実施例で開示された全ての取付部材２及び取付方法が効果的に採用され得ることは言うまでもない。
【００４８】
前記アーム３の先端部には各実施例と同様に、適宜形状の排除板４が取付けられ、これにより、排除板４の静止した状態に対してハンドピース１の軸回りの回動が可能となっている。尚、図示の実施例では、中間アーム７の外周面には該中間アーム７の軸方向に移動できる調整管１８ａ・１８ａが設けられており、該調整管１８ａ・１８ａを回動軸８又は回動軸６上へ移動させることにより、先端アーム９と中間アーム７、及び中間アーム７と支持アーム５とを夫々直線上に確りと固定できる。
【００４９】
尚、この実施例ではロータリージョイント等の接続部１９を介してハンドピース１が取付けられているので、ハンドピース１の着脱が簡易化されることは勿論のこと、各種の器具類との交換が可能である。
【発明の効果】
本発明の圧排装置を備えた歯科用器具は、前述の如く構成したことにより、汎用のハンドピースに取付けるだけで簡単に使用できるものであり、歯科医師は、本発明の圧排装置を備えた歯科用器具を取付けたハンドピースを使用することにより、排除板で必要な口腔内組織を排除しながら、歯牙切削機の切削工具等の先端部を意図する方向に自由に操作できるので、あらゆる治療部位において、日本人が日常的に食事の際に使用する箸の操作の要領等で、医師自身のみで円滑な切削治療を行うことができる。また、その際、排除板の状態を変えることなく、歯牙切削機の切削工具等の先端部を操作することができ、また、治療部位を観察する必要性のある場合でも安定して使用することができる。総じて、本発明の圧排装置を備えた歯科用器具は、従来のＦｏｕｒ−Ｈａｎｄｅｄ  ｄｅｎｔｉｓｔｒｙによる治療の際に生じる問題を全て解消し、切削治療を円滑に且つ短時間で行える等の歯科診療の技術的発展に貢献する画期的で且つ極めて有意義な発明である。
【図面の簡単な説明】
【図１乃至図４】第１実施例の圧排装置を備えた歯科用器具の概要図である。
【図５】第２実施例の圧排装置を備えた歯科用器具の概要図である。
【図６】第３実施例の圧排装置を備えた歯科用器具の概要図である。
【図７及び図８】第４実施例の圧排装置を備えた歯科用器具の概要図である。
【図９及び図１０】第５実施例の圧排装置を備えた歯科用器具の概要図である。
【図１１及び図１２】第６実施例の圧排装置を備えた歯科用器具の概要図である。
【図１３】本発明の圧排装置を備えた歯科用器具に使用されるその他のアームの概要図である。
【図１４乃至図２３】本発明で使用される回動型のアームにおける回動機構の概要図である。
【図２４乃至図２６】第１実施例乃至第４実施例の圧排装置を備えた歯科用器具におけるハンドピースの動きを示す説明図である。
【図２７及び図２８】口腔内におけるハンドピースの動きを示す説明図である。
【図２９乃至図３０】圧排装置を備えた歯科用器具の使用状態の説明図である。
【図３１乃至図３３】本発明の圧排装置を備えた歯科用器具に使用されるその他の排除板及びそれに関連する装置の概要図である。
【符号の説明】
Ａ      舌
Ｂ      歯
Ｃ      肉部
Ｄ      バキュームチップ
Ｇ      間隙
Ｘ１    摺接面
Ｘ２    摺接面
ｘ      螺子部
ｙ      螺子部
１      ハンドピース
１ａ    基端部
１ｂ    回転体
１ｃ    切削工具
２      取付部材
２Ａ    ボルト
２ａ    取付孔
２ｂ    支持孔
２ｃ    螺子孔
３      アーム
４      排除板
４ａ    舌片
５      支持アーム
５ａ    中空軸
５ｂ    突出片
５ｃ    軸受孔
５ｄ    螺子部
５ｅ    凹溝
６      回動軸
６ａ    螺子孔
７      中間アーム
７Ａ    分割部材
７ａ    凹溝
７ｂ    軸受孔
７ｃ    突出片
９      先端アーム
１０    回動軸
１１    操作杆
１１Ａ  押付部材
１１ａ  螺子部
１１ｂ  操作部材
１２    ストッパー手段
１３    内筒管
１３ａ  取付孔
１３ｂ  Ｕ字溝
１４    ボルト
１４ａ  ボールベアリング
１４ｂ  環状突起
１５    ストッパー手段
１６ａ  噴出ノズル
１６ｂ  エアー供給路
１７    円筒体
１７ａ  ストッパー手段
１８ａ  調整管
１９    接続部
２０    別部材
【図１】
0003577495.tif 000002
【図２】
0003577495.tif 000003
【図３】
0003577495.tif 000004
【図４】
0003577495.tif 000005
【図５】
0003577495.tif 000006
【図６】
0003577495.tif 000007
【図７】
0003577495.tif 000008
【図８】
0003577495.tif 000009
【図９】
0003577495.tif 000010
【図１０】
0003577495.tif 000011
【図１１】
0003577495.tif 000012
【図１２】
0003577495.tif 000013
【図１３】
0003577495.tif 000014
【図１４】
0003577495.tif 000015
【図１５】
0003577495.tif 000016
【図１６】
0003577495.tif 000017
【図１７】
0003577495.tif 000018
【図１８】
0003577495.tif 000019
【図１９】
0003577495.tif 000020
【図２０】
0003577495.tif 000021
【図２１】
0003577495.tif 000022
【図２２】
0003577495.tif 000023
【図２３】
0003577495.tif 000024
【図２４】
0003577495.tif 000025
【図２５】
0003577495.tif 000026
【図２６】
0003577495.tif 000027
【図２７】
0003577495.tif 000028
【図２８】
0003577495.tif 000029
【図２９】
0003577495.tif 000030
【図３０】
0003577495.tif 000031
【図３１】
0003577495.tif 000032
【図３２】
0003577495.tif 000033
【図３３】
0003577495.tif 000034